(57)【要約】【課題】専用的なスイッチなどを使用したりすることなく器具の電気部品の検査を低コストで行なう。ユーザによって誤って電気部品の検査動作が行なわれてしまうような事態をできるだけ回避しつつ、保守・点検業者等が電気部品の検査を容易に行なうことを可能とする。【解決手段】制御回路１６は電気部品９〜１１の断線状態を検知可能である。電気部品９〜１１を制御回路１６に接続しない状態で、検査対象の電気部品（１２，１３，１４）に含まれる所定の操作スイッチ１２の所定の操作を行なうと、制御回路１６の検査処理手段２６によって、操作スイッチ１２や表示部品１３の検査処理が実行される。【選択図】図３
2005337860.tif 000002
【特許請求の範囲】
【請求項１】
器具の動作を制御する制御回路と、この制御回路にそれぞれコネクタを介して着脱自在に接続される複数の電気部品とを備えた器具に対し、該複数の電気部品のうちの特定の電気部品を検査対象とし、その検査対象の電気部品の検査を行なう装置であって、
前記複数の電気部品のうちの、前記検査対象の電気部品を除く所定の複数の電気部品は、それぞれ前記制御回路との間の電流が遮断される断線状態を該制御回路により検知可能な電気部品であると共に、該所定の複数の電気部品以外の前記検査対象の電気部品を含む少なくとも１つの電気部品は器具の動作を前記制御回路に指示する１つ以上の操作スイッチを備える電気部品であり、
前記所定の複数の電気部品を前記制御回路に接続せず、且つ少なくとも前記検査対象の電気部品と前記操作スイッチを備える電気部品とを前記制御回路に接続して該制御回路に電源を供給した状態で、前記操作スイッチのうちの少なくとも１つの所定の操作スイッチの所定の操作が行なわれたとき、前記検査対象の電気部品の検査処理を実行する手段を前記制御回路に備え、
前記所定の操作スイッチは、前記検査処理以外の器具の機能動作を前記制御回路に指示するときにも操作されるスイッチであることを特徴とする器具の検査装置。
【請求項２】
前記所定の操作スイッチは、複数の操作スイッチからなることを特徴とする請求項１記載の器具の検査装置。
【請求項３】
前記検査対象の電気部品は、前記制御回路により表示状態が制御される表示部品を含み、前記制御回路が実行する検査処理は、少なくとも前記表示部品の表示が正常に行なわれるか否かを検査する処理を含むことを特徴とする請求項１または２記載の器具の検査装置。
【請求項４】
前記制御回路が実行する検査処理では、前記表示部品の表示を所定の形態で行なわせるように前記検査対象の電気部品を制御することを特徴とする請求項３記載の器具の検査装置。
【請求項５】
前記検査対象の電気部品は、前記操作スイッチを備える電気部品であり、前記制御回路が実行する検査処理は、前記表示部品の表示が正常に行なわれるか否かを検査する処理と、前記操作スイッチの操作を前記制御回路が正常に認識可能であるか否かを検査する処理とを含むことを特徴とする請求項３または４記載の器具の検査装置。
【請求項６】
前記制御回路が実行する検査処理では、該制御回路は、前記表示部品の表示が正常に行なわれるか否かを検査する処理を実行した後、前記操作スイッチの操作を前記制御回路が正常に認識可能であるか否かを検査する処理を実行し、該操作スイッチの操作に係わる検査処理では、前記操作スイッチの操作が行なわれて、その操作を該制御回路が認識したとき、前記表示部品の表示を所定の形態で行なわせるように該表示部品を制御することを特徴とする請求項５記載の器具の検査装置。
【発明の詳細な説明】
【技術分野】
【０００１】
本発明は、器具のランプ部品などの表示部品の動作確認、スイッチの操作確認などの検査を行なうため装置に関する。
【背景技術】
【０００２】
器具に備える電気部品、例えば表示ランプの動作確認などを行なうための装置としては、従来、例えば実開昭５６−１３５１７０号公報（特許文献１）に見られるように、検査専用のスイッチをＯＮ操作することで、所要の検査処理を実行する回路を動作させ、それにより、表示ランプの表示（点灯）が正常に行なわれるか否かを検査するようにしたものが知られている。
【０００３】
また、マイクロコンピュータ（以下、本欄ではマイコンという）を備えた器具では、その製造工場などにおいて、検査対象の電気部品を接続する制御回路基板に、本来のマイコン（器具の運転制御を行なうために器具に搭載されるマイコン）の代わりに、検査専用のマイコンを装着した後に、その検査専用のマイコンに所定の検査処理を実行させることで、検査対象の電気部品の検査を行なうようにしたものも知られている。
【特許文献１】実開昭５６−１３５１７０号公報
【発明の開示】
【発明が解決しようとする課題】
【０００４】
しかしながら、前記特許文献１に見られるようなものでは、検査専用のスイッチや回路を用いるため、それが器具の製品コストの増加の要因になるという不都合がある。また、器具の出荷後に、保守・点検業者などが電気部品の検査を手軽に行なうことが困難である。この場合、器具の出荷後にも検査を行なうことができるように、検査専用のスイッチや回路を器具に組み込んでおくことも考えられる。しかし、その場合には、製品コストの増加を招くと共に、器具のユーザが誤って検査専用のスイッチを操作すると、ユーザが予期しない器具の動作が行なわれて、器具の故障と勘違いしてしまう恐れもある。
【０００５】
また、検査専用のマイコンを使用するものでは、その専用化されたマイコンを用いることで、特許文献１と同様に製品コストの増加の要因になる。また、マイコンを制御回路基板に脱着する作業は、静電気対策が必要となると共に慎重な作業が要求され、手間がかかりやすいという不具合がある。
【０００６】
本発明は、かかる背景に鑑みてなされたものであり、検査のために専用的なスイッチやマイコンを使用したりすることなく器具の電気部品の検査を低コストで行なうことができ、しかも、器具の出荷後にあっても、ユーザによって誤って電気部品の検査動作が行なわれてしまうような事態をできるだけ回避しつつ、保守・点検業者等が電気部品の検査を容易に行なうことができる検査装置を提供することを目的とする。
【課題を解決するための手段】
【０００７】
器具の動作を制御する制御回路には、通常、複数の電気部品が接続される。そして、この種の器具では、その通常運転時の異常発生を監視するために、いくつかの電気部品（例えば、サーミスタやヒューズなど）については、その断線状態の有無を制御回路で検知するようにしている場合が多々ある。この場合、その電気部品の断線状態は、該電気部品と制御回路との間の電流が遮断される状態であるから、該電気部品を制御回路に接続していない状態と同等である。従って、その接続していない状態は、制御回路によって、その接続していない電気部品の断線状態と同じように検知できる。そこで、本発明は、これを利用する。
【０００８】
すなわち、本発明の器具の検査装置は、器具の動作を制御する制御回路と、この制御回路にそれぞれコネクタを介して着脱自在に接続される複数の電気部品とを備えた器具に対し、該複数の電気部品のうちの特定の電気部品を検査対象とし、その検査対象の電気部品の検査を行なう装置であって、前記複数の電気部品のうちの、前記検査対象の電気部品を除く所定の複数の電気部品は、それぞれ前記制御回路との間の電流が遮断される断線状態を該制御回路により検知可能な電気部品であると共に、該所定の複数の電気部品以外の前記検査対象の電気部品を含む少なくとも１つの電気部品は器具の動作を前記制御回路に指示する１つ以上の操作スイッチを備える電気部品であり、前記所定の複数の電気部品を前記制御回路に接続せず、且つ少なくとも前記検査対象の電気部品と前記操作スイッチを備える電気部品とを前記制御回路に接続して該制御回路に電源を供給した後、前記操作スイッチのうちの少なくとも１つの所定の操作スイッチの所定の操作が行なわれたとき、前記検査対象の電気部品の検査処理を実行する手段を前記制御回路に備え、前記所定の操作スイッチは、前記検査処理以外の器具の動作を前記制御回路に指示するときにも操作されるスイッチであることを特徴とするものである。
【０００９】
かかる本発明によれば、前記所定の複数の電気部品を前記制御回路に接続しないので、少なくとも前記検査対象の電気部品と前記操作スイッチを備える電気部品とを前記制御回路に接続して該制御回路に電源を供給することで、該制御回路は、前記所定の複数の電気部品が接続されていないことをこれらの電気部品の断線状態として検知する。そして、この検知状態において、前記所定の操作スイッチの所定の操作が行なわれると、それに応じて前記制御回路が検査対象の電気部品の検査処理を実行する。この場合、前記所定の操作スイッチは、検査処理以外の器具の機能動作、すなわち、器具の通常的な動作（器具のユーザに対する器具の本来の機能（検査処理機能を除く）を発揮する動作）を制御回路に指示するときにも操作されるスイッチである。
【００１０】
従って、本発明によれば、検査のために専用的なスイッチやマイコンを使用したりすることなく器具の電気部品の検査を低コストで行なうことができる。また、前記所定の複数の電気部品の実際の断線が同時に生じることはほとんど有り得ないので、これらの所定の複数の電気部品を意図的に制御回路から取り外さない限り、器具を使用しているユーザが前記所定の操作スイッチの所定の操作を誤って行なったとしてもユーザの予期しない検査処理（検査対象の電気部品の検査処理）が行なわれてしまうようなことがない。ユーザが使用している器具の、前記検査対象の電気部品を保守・点検業者が交換するときなどにおいては、その業者は、専用的な検査装置を使用したりすることなく、該電気部品をユーザの器具の制御回路に接続して、該電気部品の検査を行なうことができる。
【００１１】
従って、器具の出荷後にあっても、ユーザによって誤って電気部品の検査動作が行なわれてしまうような事態をできるだけ回避しつつ、保守・点検業者等が電気部品の検査を容易に行なうことができる。
【００１２】
なお、本発明では、前記検査対象の電気部品と前記操作スイッチを備える電気部品とが同じ電気部品であってもよい。この場合には、検査対象の電気部品を制御回路に接続することで、結果的に前記操作スイッチを備える電気部品も制御回路に接続されることとなる。また、本発明では、前記検査対象の電気部品と前記操作スイッチを備える電気部品以外の電気部品は、前記所定の複数の電気部品を含めて制御回路に接続しておく必要はない。
【００１３】
かかる本発明では、前記所定の操作スイッチは、複数の操作スイッチからなることが好ましい。
【００１４】
これによれば、前記検査処理を制御回路に実行させるためには、複数の操作スイッチの所定の操作（所定の複合操作）が必要になるため、器具の出荷後において、ユーザの予期しない検査処理が実行されてしまうことの防止をより確実に行なうことができる。
【００１５】
また、前記本発明は、前記検査対象の電気部品は、前記制御回路により表示状態が制御される表示部品を含み、前記制御回路が実行する検査処理は、少なくとも前記表示部品の表示が正常に行なわれるか否かを検査する処理を含む場合に好適である。これによれば、表示部品（ランプやデジタル表示器など）の表示が正常に行なわれるか否かの検査を、専用的な装置を使用することなく容易に行なうことができる。
【００１６】
この場合、特に、前記制御回路が実行する検査処理では、前記表示部品の表示を所定の形態で行なわせるように前記検査対象の電気部品を制御することが好ましい。これによれば、表示部品の表示が正常に行なわれる場合には、その表示が所定の形態で行なわれるので、表示部品の表示が正常であるか否かを容易に視覚的に確認することができる。
【００１７】
さらに、上記のように表示部品の検査を行なう本発明では、前記検査対象の電気部品が、前記操作スイッチを備える電気部品である場合には、前記制御回路が実行する検査処理は、前記表示部品の表示が正常に行なわれるか否かを検査する処理と、前記操作スイッチの操作を前記制御回路が正常に認識可能であるか否かを検査する処理とを含むことが好ましい。
【００１８】
これにより、検査対象の電気部品に含まれる表示部品と操作スイッチとの検査を、専用的な装置をしようすることなく、一括的に効率よく行なうことができる。
【００１９】
この場合、前記制御回路が実行する検査処理では、該制御回路は、前記表示部品の表示が正常に行なわれるか否かを検査する処理を実行した後、前記操作スイッチの操作を前記制御回路が正常に認識可能であるか否かを検査する処理を実行し、該操作スイッチの操作に係わる検査処理では、前記操作スイッチの操作が行なわれて、その操作を該制御回路が認識したとき、前記表示部品の表示を所定の形態で行なわせるように該表示部品を制御することが好ましい。
【００２０】
これによれば、まず、表示部品の検査が行なわれて、該表示部品の表示が正常に行なわれることが確認された後に、操作スイッチの操作に係わる検査が行なわれることとなる。そして、この操作スイッチの操作に係わる検査処理では、正常であることが確認された表示部品の表示を所定の表示形態で行なわせることで、操作スイッチの操作を制御回路が認識できるか否かを容易に視覚的に確認できる。
【発明を実施するための最良の形態】
【００２１】
本発明の一実施形態を図１〜図４を参照して説明する。図１は本発明を適用する器具の外観斜視図である。
【００２２】
同図１を参照して、本実施形態における器具１は、空気清浄器付きファンヒータであり、その外装ケース２の上面部に、後述する複数の操作スイッチ、複数の表示部品が配列された操作パネル３と、器具１の空気清浄器機能により清浄化された空気の吹出し口４とが設けられている。また、外装ケース２の前面部の下部には、器具１のファンヒータ機能により暖められた温風を吹出す温風吹出し口５が設けられている。
【００２３】
外装ケース２の内部の空間の上部には主に空気清浄器の構成部品類６（以下、単に空気清浄器６という）が収容され、下部には主にファンヒータの構成部品類７（以下、単にファンヒータ７という）が収容されている。詳細な図示は省略するが、空気清浄器６には、外装ケース２の背面部から室内空気を吸入して、吹出し口４から送出するファン装置、送出する空気にイオンを含ませるイオン発生器、ファン装置で吸入した室内空気を浄化するフィルタなどが含まれる。また、ファンヒータ７には、ガスバーナを内蔵する燃焼ケース、外装ケース２の背面部から室内空気を吸入して、それを燃焼ケースを介して前記温風吹出し口５から送出するファン装置、ガスバーナへのガス供給路を開閉する電磁弁、ガスバーナへのガス供給量を調整する比例電磁弁などが含まれる。
【００２４】
また、外装ケース２内の上部には、後述の制御回路が組み込まれた制御回路ユニット８が収容され、下部には、ファンヒータ７の燃焼ケースの上部の温度が所定温度を超えたときに溶断する過熱防止用ヒューズ９と、温風吹出し口５からの送風温度を検出する温度センサである送風温サーミースタ１０とが収容されている。さらに、外装ケース２の背面部の下部には、室内の温度を検出する温度センサである室温サーミスタ１１が取り付けられている。これらの過熱防止用ヒューズ９、送風温サーミスタ１０、室温サーミスタ１１は、本発明における「所定の複数の電気部品」に相当するものである。
【００２５】
なお、図１では図示を省略するが、操作パネル３の裏側箇所には、この操作パネル３の回路基板が設けられている。
【００２６】
図２は前記操作パネル３の詳細を示しており、この操作パネル３には、複数の操作スイッチ１２と、複数の表示部品１３とが備えられている。これらの操作スイッチ１２および表示部品１３は、回路基板１４に搭載されている。本実施形態では、操作スイッチ１２としては、ファンヒータ７の動作のＯＮ／ＯＦＦを指示する運転入／切スイッチ１２ａ、ファンヒータ７の所定の運転モード（「おやすみ運転モード」、「おはよう運転モード」、「セーブ運転モード」、「おさえめ運転モード」）での動作のＯＮ／ＯＦＦを指示する複数のモード設定スイッチ１２ｂ，１２ｃ，１２ｄ，１２ｅと、目標室温の設定や時刻設定等を行なうためのアップスイッチ１２ｆおよびダウンスイッチ１２ｇと、ファンヒータ７の動作中に空気清浄器６の動作を行なうか否かを指示する空気清浄器用スイッチ１２ｈとが備えられている。また、表示部品１３としては、器具１の動作状態を報知する複数のＬＥＤランプ１３ａと、目標室温や時刻を液晶やＬＥＤによりデジタル表示するデジタル表示器１３ｂとが備えられている。
【００２７】
図３は、前記制御回路ユニット８と電気部品との接続構成を示すブロック図である。同図に示すように、制御回路ユニット８は、回路基板１５上にマイクロコンピュータ（図示省略）含む制御回路１６を搭載したものである。この制御回路ユニット８には、前記室温サーミスタ１１に接続された信号線１７がコネクタ１８を介して着脱自在に接続され、過熱防止用ヒューズ９に接続された信号線１９と、送風温サーミスタ１０に接続された信号線２０とが共通のコネクタ２１を介して着脱自在に接続される。また、制御回路ユニット８には、前記操作パネル３の回路基板１４（以下、操作パネル基板１４という）に接続された信号線２２がコネクタ２３を介して着脱自在に接続される。なお、送風温サーミスタ１０および過熱防止用ヒューズ９は、各別のコネクタを介して制御回路ユニット８に接続するようにしてもよい。また、図３では、操作パネル基板１４上の操作スイッチ１２および表示部品１３には、図示の便宜上、その一部のみに代表的に参照符号を付している。
【００２８】
また、図示は省略するが、制御回路ユニット８には、過熱防止用ヒューズ９、送風温サーミスタ１０、室温サーミスタ１１、操作パネル基板１４（操作スイッチ１２および表示部品１３を含む）の他、空気清浄器６のファン装置の電動モータ、イオン発生器、ファンヒータ７のファン装置の電動モータ、電磁弁、比例電磁弁、イグナイタ、ガスバーナの燃焼炎を検知する熱電対などの電気部品がこれらに接続された信号線およびコネクタを介して着脱自在に接続される。
【００２９】
ここで、制御回路１６は、その機能的手段として、過熱防止用ヒューズ９、送風温サーミスタ１０、室温サーミスタ１１の断線状態（これらの電気部品に電流が流れない状態）を検知する断線検知手段２４と、ファンヒータ７および空気清浄器６の通常的な運転制御処理を実行する通常運転制御手段２５と、所定の条件下で操作パネル基板１４の表示部品１３および操作スイッチ１２に係わる動作を検査する検査処理を実行する検査処理手段２６とを備えている。断線検知手段２４は、例えば過熱防止用ヒューズ９、送風温サーミスタ１０、室温サーミスタ１１の通電時の発生電圧を入力する比較回路（図示しない）とこの比較回路の出力を受けるマイクロコンピュータに実装されるプログラムにより実現される。また、通常運転制御手段２５および検査処理手段２６は、マイクロコンピュータに実装されるプログラムによる制御処理機能によって実現される。なお、通常運転制御手段２５が実行する「通常的な運転制御処理」は、検査処理手段２６が実行する「検査処理」以外の器具１の運転制御処理のことである。また、本実施形態では、検査対象の電気部品は、前記操作スイッチ１２、表示部品１３および操作パネル基板１４からなる電気部品であり、この電気部品のうちの操作スイッチ１２および表示部品１３が、検査処理手段２６の検査処理によって後述するように検査される。
【００３０】
次に、本実施形態の器具１の検査処理に係わる作動を説明する。
【００３１】
例えば器具１の製造工場等において、操作パネル基板１４の操作スイッチ１２および表示部品１３の検査（動作確認）が行なわれる。このとき、操作パネル基板１４に係るコネクタ２３が制御回路ユニット８に接続される一方、過熱防止用ヒューズ９および送風温サーミスタ１０に係わるコネクタ２１と、室温サーミスタ１１に係わるコネクタ１８は制御回路ユニット８に接続しない状態とされる。そして、この状態で、制御回路ユニット８に電源が供給される。なお、操作パネル基板１４、過熱防止用ヒューズ９、送風温サーミスタ１０、室温サーミスタ１１以外の電気部品は、制御回路ユニット８に接続しても接続しなくてもどちらでもよい。また、器具１は未だ、組み立てられていなくてもよい。
【００３２】
このとき、過熱防止用ヒューズ９、送風温サーミスタ１０、室温サーミスタ１１の全てと、制御回路１６との間で電流が流れない状態、すなわち、過熱防止用ヒューズ９、送風温サーミスタ１０、室温サーミスタ１１の全てが擬似的に断線状態になっているので、その断線状態が制御回路１６により検知される。
【００３３】
このような断線状態を制御回路１６が検知している状態において、前記操作スイッチ１２のうちの特定の１つ以上の操作スイッチの所定の操作が作業者により行なわれる。本実施形態では、例えばアップスイッチ１２ｆおよびダウンスイッチ１２ｇを押し操作し、その押し操作を継続した状態でさらに前記運転入／切スイッチ１２ａを押し操作し、これらの３つのスイッチ１２ｆ，１２ｇ，１２ａを１秒間連続して押し操作した状態に維持する。かかる操作が行なわれ、その操作が制御回路１６により確認されると、該制御回路１６の動作モードは、表示部品１３の検査を行う検査モード（以下、表示検査モードという）となる。そして、この表示検査モードでは前記検査処理手段２６の処理が図４のフローチャートに示すように実行される。
【００３４】
検査処理手段２６は、まず、所定時間（例えば１分）を計時するタイマーを初期化して、その計時を開始する（ＳＴＥＰ１）。次いで、検査処理手段２６は、操作パネル基板１４に搭載された全ての表示部品１３（ＬＥＤランプ１３ａおよびデジタル表示器１３ｂ）を点灯させるように操作パネル基板１４に制御信号（以下、全点灯制御信号という）を送出する（ＳＴＥＰ２）。このとき、表示部品１３の全てが正常であれば、全ての表示部品１３が点灯し、不良品があれば、その不良品の表示部品１３は点灯しない。これにより、操作パネル基板１４の表示部品１３の表示（点灯）が正常に行なわれるか否かの検査が行なわれる。
【００３５】
次いで、検査処理手段２６は、タイマーの計時が終了したか否かを判断する（ＳＴＥＰ３）。このとき、タイマーの計時が終了していない場合には、検査処理手段２６はさらに、いずれかの操作スイッチ１２の操作がされたか否かを判断する（ＳＴＥＰ４）。そして、ＳＴＥＰ４の判断結果がＮＯである場合には、ＳＴＥＰ３に戻り、ＹＥＳである場合には、操作された操作スイッチ１２が特定のスイッチ、例えばダウンスイッチ１２ｇであるか否かをＳＴＥＰ５で判断する。この場合、ＳＴＥＰ３の判断結果がＹＥＳであるか、もしくはＳＴＥＰ５の判断結果がＮＯである場合には、検査処理手段２６は、ＳＴＥＰ１２で全点灯制御信号の送出を停止して（全ての表示部品１３を消灯させて）、検査処理を終了する。従って、表示検査モードの処理が開始されてから、タイマーの計時時間が経過するか、もしくは、ダウンスイッチ１２ｇ以外の操作スイッチ１２が操作されると、検査処理手段２６の検査処理は終了する。
【００３６】
一方、ＳＴＥＰ５の判断結果がＹＥＳである場合、すなわち、全点灯制御信号が送出されている状態で、前記タイマーの計時時間内にダウンスイッチ１２ｇが操作されると、検査処理手段２６は、操作スイッチ１２の操作が制御回路１６により正常に認識できるか否かの検査を行なうスイッチ検査モードの処理を実行する。
【００３７】
このスイッチ検査モードの処理では、検査処理手段２６は、ＳＴＥＰ６で全点灯制御信号の送出を停止した後、前記タイマーを初期化して、その計時を開始する（ＳＴＥＰ７）。次いで、検査処理手段２６は、タイマーの計時終了の判断と、いずれかの操作スイッチ１２の操作がされたか否かの判断とを順次ＳＴＥＰ８、９で行なう。そして、ＳＴＥＰ９の判断結果がＮＯである場合には、ＳＴＥＰ８に戻り、ＹＥＳである場合には、操作された操作スイッチ１２が特定の操作スイッチ、例えばアップスイッチ１２ｆであるか否かをＳＴＥＰ１０で判断する。この場合、ＳＴＥＰ８の判断結果がＹＥＳである場合には、検査処理手段２６は、検査処理を終了する。従って、スイッチ検査モードの処理が開始されてから、操作スイッチ１２のいずれも操作されない状態でタイマーの計時時間が経過すると、検査処理手段２６の検査処理は終了する。また、ＳＴＥＰ１０の判断結果がＹＥＳである場合には、ＳＴＥＰ１からの処理に戻る。従って、スイッチ検査モードで、アップスイッチ１２ｆが押し操作されると、検査処理手段２６の処理は表示検査モードに戻る。
【００３８】
また、ＳＴＥＰ１０の判断結果がＮＯである場合、すなわち、スイッチ検査モードでタイマーの計時時間が経過する前に、アップスイッチ１２ｆ以外の操作スイッチ１２の操作が行なわれた場合には、検査処理手段２６は、その操作が行なわれた操作スイッチ１２に応じた所定の表示制御（表示部品１３の制御）を実行し、それにより該操作スイッチ１２の操作を認識した旨を報知する（ＳＴＥＰ１１）。そして、ＳＴＥＰ７からの処理が繰り返される。
【００３９】
上記ＳＴＥＰ１１の表示制御の処理では、例えば、運転入／切スイッチ１２ａが操作（押し操作）され、それが制御回路１６により正常に認識された場合には、ＬＥＤランプ１３のうちの、運転入／切スイッチ１２ａの上側のＬＥＤランプ１３ａの点灯、デジタル表示器１３ｂの上側のＬＥＤランプ１３ａの点灯、これらのＬＥＤランプ１３ａの消灯を順次繰り返す。また、運転入／切スイッチ１２ａ、アップスイッチ１２ｆおよびダウンスイッチ１２ｇ以外の各操作スイッチ１２ｂ〜１２ｅ，１２ｈが操作（押し操作）され、それが制御回路１６により正常に認識された場合には、その操作された操作スイッチ（１２ｂ〜１２ｅ、１２ｈのいずれか）の上側のＬＥＤランプ１３ａが点灯、消灯を順次繰り返す（点滅する）。
【００４０】
そして、アップスイッチ１２ｆおよびダウンスイッチ１２ｇを除く各操作スイッチ１２の操作が正常に制御回路１６により認識できない場合には、上記のようなＬＥＤランプ１３の表示制御が行なわれないこととなる。これにより、アップスイッチ１２ｆおよびダウンスイッチ１２ｇを除く各操作スイッチ１２の操作が正常に制御回路１６により認識できるか否かの検査が行なわれることとなる。
【００４１】
なお、ダウンスイッチ１２ｇの操作が正常に制御回路１６により認識できない場合には、検査処理手段２６により検査処理が実行されないか、もしくは、前記ＳＴＥＰ５の判断結果がＹＥＳになることが無い（スイッチ検査モードの処理が開始しない）ので、それによりダウンスイッチ１２ｇの操作が正常に制御回路１６により認識できるか否かを確認できる。また、アップスイッチ１２ｆの操作が正常に制御回路１６により認識できない場合には、検査処理手段２６により検査処理が実行されないか、もしくは、前記ＳＴＥＰ１０の判断結果がＹＥＳになることが無い（スイッチ検査モードから表示検査モードに戻らない）ので、それによりアップスイッチ１２ｆの操作が正常に制御回路１６により認識できるか否かを確認できる。
【００４２】
以上のように、本実施形態によれば、過熱防止用ヒューズ９、送風温サーミスタ１０および室温サーミスタ１１を制御回路１６に接続しない状態で、器具１の通常の動作を行なうために備えられる操作スイッチ１２ａ，１２ｆ，１２ｇの所要の操作を行なうことで、検査処理手段２６による検査処理を実行することができる。従って、検査専用のスイッチなどを用いることなく、電気部品である操作パネル基板１４の表示部品１３および操作スイッチ１２の検査を行なうことができる。
【００４３】
また、器具１の出荷後であっても、操作パネル基板１４を交換したときなどに、保守・点検業者が専用的な検査装置を使用することなく、操作パネル基板１４の表示部品１３および操作スイッチ１２の検査を行なうことができる。
【００４４】
さらに、検査処理手段２６の検査処理は、過熱防止用ヒューズ９、送風温サーミスタ１０および室温サーミスタ１１の全ての断線状態を制御回路１６の断線検知手段２４が検知しない限り実行されず、また、そのような状況は、過熱防止用ヒューズ９、送風温サーミスタ１０および室温サーミスタ１１のコネクタ１８，２１を意図的に制御回路ユニット８から取り外さない限り、事実上発生し得ない。従って、器具１のユーザが、検査処理手段２６の処理を実行させるための操作スイッチ１２の特殊な操作（運転入／切スイッチ１２ａ、アップスイッチ１２ｆおよびダウンスイッチ１２ｇの前記した操作）を誤って行なったとしても、ユーザの予期しない検査処理が開始されるような事態を防止できる。
【００４５】
なお、以上説明した本実施形態では、過熱防止用ヒューズ９、送風温サーミスタ１０および室温サーミスタ１１を制御回路ユニット８に接続しない状態で、操作パネル基板３の表示部品１３および操作スイッチ１２の検査が行なわれるようにしたが、過熱防止用ヒューズ９、送風温サーミスタ１０および室温サーミスタ１１のうちのいずれか２つの電気部品が制御回路ユニット８に接続されていないときに、検査処理を行なうようにしてもよい。
【００４６】
また、本実施形態では、制御回路１６が断線を検知する電気部品（本発明における所定の複数の電気部品）として、過熱防止用ヒューズ９、送風温サーミスタ１０および室温サーミスタ１１を例示したが、他の電気部品、例えばガスバーナの燃焼検知用の熱電対、ガス供給路の電磁弁、比例電磁弁の断線を検知するようにして、これらの電気部品の複数、あるいは、これらの電気部品のいずれかと、過熱防止用ヒューズ９、送風温サーミスタ１０および室温サーミスタ１１のいずれかとを本発明における所定の複数の電気部品として、操作パネル基板１４の表示部品１３および操作スイッチ１２の検査を行なうようにしてもよい。
【００４７】
また、本実施形態では、表示部品１３および操作スイッチ１２の両者の検査を行なうようにしたが、いずれかのみの検査を行なうようにしてもよく、あるいは、他の電気部品の検査を行なうようにしてもよい。
【００４８】
また、本実施形態では、器具１として空気清浄機能付きファンヒータを例に採って説明したが、温風暖房器、給湯器、コンロ装置、空気清浄器など、種々様々な器具についても本発明を適用できることはもちろんである。
【図面の簡単な説明】
【００４９】
【図１】本発明の検査装置の一実施形態を適用した器具（空気清浄機能付きファンヒータ）の外観斜視図。
【図２】図１の器具に備えた操作パネルの詳細を示す平面図。
【図３】図１の器具に備えた制御回路ユニットと電気部品との接続構成を示すブロック図。
【図４】実施形態における検査処理を示すフローチャート。
【符号の説明】
【００５０】
１…器具（空気清浄機能付きファンヒータ）、９…過熱防止用ヒューズ（電気部品）、１０…送風温サーミスタ（電気部品）、１１…室温サーミスタ（電気部品）、１２…操作スイッチ（電気部品）、１３…表示部品（電気部品）、１６…制御回路、１８，２１，２３…コネクタ、２６…検査処理手段。
【図１】
2005337860.tif 000003
【図２】
2005337860.tif 000004
【図３】
2005337860.tif 000005
【図４】
2005337860.tif 000006